(57)【要約】      （修正有）【課題】土に含まれる根茎と土砂を分離させ根茎を回収できるバケット、及びこれを備えたパワーショベルを得る。【解決手段】多孔篩バケット１０の開口部１２を下方に向け、底板１０Ａの手前縁１１を土砂と対向させ、根茎が含まれる土をその内部に掬い込む。多孔篩バケット１０は、底板１０Ａの湾曲面に沿って土を掬い込むため、容易に多孔篩バケット１０の内部に土を掬い込むことができる。多孔篩バケット１０の開口部１２をななめ上方に向けて停止させる。さらに、土砂を多孔篩バケット１０の内部から大径孔１６Ａ，小径孔１６Ｂ、中径孔１７を通してふるい落とす。これにより、土に含まれる根茎は、多孔篩バケット１０内に残る。このようにして、土に含まれる根茎と土砂を分離させ根茎を回収できる。【選択図】図８
2007224539.tif 000002
【特許請求の範囲】
【請求項１】
底板と、前記底板の両側から立設した側板と、前記側板の奥側と前記底板の奥側に連結された背板と、前記背板の上部と前記側板の上部に連結され、前記底板の手前側が開口する箱体を構成する天板と、を備え、パワーショベルのアームに取付けられるバケットであって、
前記底板、前記側板、及び前記背板に土砂篩用の円孔を複数形成したことを特徴とするバケット。
【請求項２】
前記側板に形成される円孔と前記背板に形成される円孔は中径孔であり、
前記底板に形成される円孔は、前記中径孔より大径の大径孔と、前記中径孔より小径の小径孔であることを特徴とする請求項１に記載のバケット。
【請求項３】
前記底板に形成される円孔は、底板全面に大径孔と小径孔の順で平面２方向へ形成され、前記側板に形成される円孔の集まりは、前記側板の下側奥角部を頂点とした三角形を描いていることを特徴とする請求項１又は２に記載のバケット。
【請求項４】
前記底板は外側に膨らむ湾曲板とされていることを特徴とする請求項１乃至３の何れか１項に記載のバケット。
【請求項５】
前記側板の手前側は上部から前記底板の手前側に向かって傾斜していることを特徴とする請求項１乃至４の何れか１項に記載のバケット。
【請求項６】
前記底板の中央部と前記天板の中央部は補強部材で連結され、前記補強部材と天板との連結部位に前記アームが取付けられていることを特徴とする請求項１乃至５の何れか１項に記載のバケット。
【請求項７】
請求項１乃至６記載何れか１項に記載されたバケットが採用されたことを特徴とするパワーショベル。
【発明の詳細な説明】
【技術分野】
【０００１】
本発明は、パワーショベルのアームの先端に取付けられ土を掬い込み篩にかけるバケットと、これを備えたパワーショベルに関する。
【背景技術】
【０００２】
バケットには、土に含まれる根茎を粉砕する粉砕具を内部に備えたものがある。（特許文献１）
このバケットに掬い込まれた土に含まれる根茎は、バケット内に備えられた粉砕具の粉砕歯が回転することによって粉砕されて処理される。
【特許文献１】実用新案登録第３０８２７１２号
【発明の開示】
【発明が解決しようとする課題】
【０００３】
しかしながら、バケット内は土砂と粉砕された根茎が混ざり合った状態なり、粉砕された根茎を分離して取り出すことができない。
【０００４】
本発明は、上記事実を考慮し、土に含まれる根茎と土砂を分離させ根茎を回収できるバケット、及びこれを備えたパワーショベルを提供することが目的である。
【課題を解決するための手段】
【０００５】
本発明の請求項１に係るバケットは、底板と、前記底板の両側から立設した側板と、前記側板の奥側と前記底板の奥側に連結された背板と、前記背板の上部と前記側板の上部に連結され、前記底板の手前側が開口する箱体を構成する天板と、を備え、パワーショベルのアームに取付けられるバケットであって、前記底板、前記側板、及び前記背板に土砂篩用の円孔を複数形成したことを特徴とする。
【０００６】
上記構成によれば、アームを操作して、根茎と土砂が混在した土をバケットに掬い込む。バケットの底板、側板、背板には、土砂篩用の円孔が複数形成されており、バケットを揺することで、円孔から土砂が落ちて、根茎がバケットに残る。バケットに残った根茎は、トラックに積み込み、現場から焼却処分場へ運搬する。このため、土砂は盛土等に利用でき、根茎は焼却処分する為、土捨て場を確保する必要もなくなる。
【０００７】
本発明の請求項２に係るバケットは、請求項１記載において、前記側板に形成される円孔と前記背板に形成される円孔は中径孔であり、前記底板に形成される円孔は、前記中径孔より大径の大径孔と、前記中径孔より小径の小径孔であることを特徴とする。
【０００８】
上記構成によれば、バケットの側板と背板には中径孔が形成され、底板には大径孔と小径孔が形成されている。このように、孔径の異なる円孔を設けることで、同じ孔径の円孔を設けたバケットと比較すると、土砂の種類や粒径に関わらず、効率よく土砂だけを取り除くことができる。また、円孔とすることで、細長い根茎がバケットから抜け落ちない。
【０００９】
本発明の請求項３に係るバケットは、請求項１又は２に記載において、前記底板に形成される円孔は、底板全面に大径孔と小径孔の順で平面２方向へ形成され、前記側板に形成される円孔の集まりは、前記側板の下側奥角部を頂点とした三角形を描いていることを特徴とする。
【００１０】
上記構成によれば、底板全面に大径孔と小径孔が交互に平面２方向へ形成され、大小の根茎や土砂が混在しても、効率よく篩い落とすことができる。
【００１１】
篩いに掛けるときは、バケットの開口部を上に向けて土砂がこぼれ落ちないようにする。このとき、側板の下側奥角部が下を向くが、この下側奥角部の側板には、角部を頂点として三角形を描くように円孔が形成されている。つまり、土が集まる箇所に円孔を集中して形成することで、篩いの効率が上がる。また、不要な部位に孔を開けないため、強度が低下することはない。
【００１２】
本発明の請求項４に係るバケットは、請求項１乃至３何れか１項記載において、前記底板は外側に膨らむ湾曲板とされていることを特徴とする。
【００１３】
上記構成によれば、底板をアームが描く湾曲軌道に沿った湾曲板とすることで、スムーズに土を掬い込むことができる。
【００１４】
本発明の請求項５に係るバケットは、請求項１乃至４何れか１項記載において、前記側板の手前側は上部から前記底板の手前側に向かって傾斜していることを特徴とする。
【００１５】
上記構成によれば、側板が底板の手前側に向かって傾斜しているため、土の中にバケットが喰い込みやすく、一回の掬い込み操作で多くの土をバケットに掬い込むことができる。
【００１６】
本発明の請求項６に係るバケットは、請求項１乃至５何れか１項記載において、前記底板の中央部と前記天板の中央部は補強部材で連結され、前記補強部材と天板との連結部位に前記アームが取付けられていることを特徴とする。
【００１７】
上記構成によれば、大量の土を掻き込んでも、バケットが変形することがない。また、バケットを構成する鉄板の板厚を薄くして、製造コストを低減できる。
【００１８】
本発明の請求項７に係るパワーショベルは、請求項１乃至６何れか１項に記載されたバケットが採用されたことを特徴とする。
【００１９】
上記構成によれば、請求項１乃至６何れか１項に記載されたバケットがパワーショベルに採用されているため、土に含まれる根茎を土砂から分離させることができる。
【発明の効果】
【００２０】
本発明によれば、土に含まれる根茎と土砂を分離させ根茎を回収できる。
【発明を実施するための最良の形態】
【００２１】
本発明のバケットが採用されたパワーショベルの第１実施形態を図１〜図７に従って説明する。
【００２２】
図７に示されるように、パワーショベル２０は、本体２２と、本体２２の両側に設けられた走行体２４と、本体２２の上部に旋回可能に取り付けられた旋回体２６と、旋回体２６の中央部に設けられた原動機２８と、旋回体２６の前部に設けられた運転室３０と、旋回体２６の後部に設けられパワーショベル２０のバランスをとるカウンタウエイト２７とを備えている。
【００２３】
さらに、旋回体２６の前部には、上下動可能に設けられたブーム３２が取付けられ、ブーム３２の側面には、ブーム３２を上下に動かす油圧シリンダ３４が設けられている。また、ブーム３２の先端には、上下に回転可能に設けられたアーム３６が設けられ、ブーム３２の上方には、アーム３６を回転させる油圧シリンダ３８が設けられている。さらに、アーム３６の先端にはバケットとしての多孔篩バケット１０が前後に回転可能に設けられ、多孔篩バケット１０を回転させる油圧シリンダ４０及び先端ブラケット４０Ａがアーム３６の上部に設けられている。
【００２４】
この構成により、運転室３０に乗車する作業者の操作指示により、ブーム３２及びアーム３６を可動させることで多孔篩バケット１０を土を掘り起こす所定の場所へと移動させ、多孔篩バケット１０の開口部１２から土を掬い込むことができる。
【００２５】
次に、多孔篩バケット１０について詳細に説明する。
【００２６】
なお、多孔篩バケット１０の形状を説明する際には、図１に示す矢印Ａ方向を奥側、矢印Ｂ方向を手前側、矢印Ｃ方向を側方として説明する。
【００２７】
図１に示されるように、多孔篩バケット１０は、土を掬い込む開口部１２を備えた箱体であり、開口部１２から土を掬い込む底板１０Ａと、底板１０Ａの両側端から立設し、掬い込んだ土砂が側方からこぼれるのを防ぐ一対の側板１０Ｂと、底板１０Ａの奥側に立設し、さらに側板１０Ｂの奥側と連結され、掬い込んだ土が奥側からこぼれるのを防ぐ背板１０Ｃと、側板１０Ｂ及び背板１０Ｃの上端に取付けられる天板１０Ｄとを備えている。
【００２８】
さらに、天板１０Ｄの上面には、アーム３６（図７参照）の先端部に回転可能に取り付けられるハット形状のブラケット１４が設けられ、４本のボルト１５によってブラケット１４の四隅と天板１０Ｄと取り付けられている。また、ブラケット１４には、アーム３６が回転可能に取付けられる取付穴１４Ａと油圧シリンダ４０の先端ブラケット４０Ａ（図７参照）が回転可能に取付けられる取付穴１４Ｂとが前後に並んで設けられている。
【００２９】
図２（Ａ）に示されるように、底板１０Ａには、多孔篩バケット１０の側方向から見て外側に膨らむ湾曲面が設けられている。さらに、底板１０Ａの手前縁１１は、湾曲面状に延設され、天板１０Ｄの手前縁１３よりも手前側へ突出している。これにより、側板１０Ｂの手前側が底板１０Ａの手前側に向かって傾斜しているため、土の中に多孔篩バケット１０が喰い込みやすく、一回の掬い込み操作で多くの土を多孔篩バケット１０に掬い込むことができる。
【００３０】
また、図３（Ａ）（Ｂ）に示されるように、底板１０Ａの湾曲面には、大小２種類の円孔１６が順に２方向へ面状に広がって設けられている。ここで、大径の大径孔１６Ａの直径は４０ｍｍとされ、小径孔１６Ｂの直径は２０ｍｍとされている。
【００３１】
図２（Ａ）に示されるように、底板１０Ａの側端から立設する２枚の側板１０Ｂには、底板１０Ａに設けられる大径孔１６Ａより小さく小径孔１６Ｂより大きい直径３０ｍｍの中径孔１７が複数設けられている。また、図６（Ｂ）で示されるように、開口部１２が手前側上方に向けられたときに、側板１０Ｂに設けられた中径孔１７の集まりが下方に位置するように側板１０Ｂの下側奥角部を頂点とした三角形を描いている。
【００３２】
この構成により、開口部１２を手前側ななめ上方に向けて、多孔篩バケット１０の内部に掬い込まれた土から土砂をふるい落とすときに、効率よく側板１０Ｂに設けられた中径孔１７から土砂が排出される。
【００３３】
図４（Ａ）（Ｂ）に示されるように、底板１０Ａの奥側から立設する背板１０Ｃには、側板１０Ｂと同様に、直径３０ｍｍの中径孔１７が設けられている。また、図６（Ｂ）で示されるように、開口部１２が手前側ななめ上方に向けられたときに、背板１０Ｃに設けられた中径孔１７は、下方に位置するように配置される。
【００３４】
この構成により、側板１０Ｂと同様に、開口部１２を手前側ななめ上方に向けて、多孔篩バケット１０の内部に掬い込まれた土から土砂をふるい落とすときに、効率よく背板１０Ｃに設けられた中径孔１７から土砂が排出される。
【００３５】
前述したとおり、多孔篩バケット１０には、直径が異なる大径孔１６Ａ、中径孔１７、及び小径孔１６Ｂの３種類の円形状の円孔１６Ａ、１６Ｂ、１７が設けられている。このように、孔径の異なる円孔を設けることで、同じ孔径の円孔を設けたバケットと比較すると、土砂の種類や粒径に関わらず、効率よく土砂だけを取り除くことができる。また、円孔とすることで、細長い根茎がバケットから抜け落ちない。
【００３６】
また、図１に示されるように、多孔篩バケット１０の内部には、天板１０Ｄの中央部と底板１０Ａの中央部とを連結する補強部材１９が設けられている。補強部材１９は水平断面を矩形状として上下に伸び、その上下端には、天板１０Ｄ及び底板１０Ａに溶接される溶接面１９Ａ（図２（Ｂ）参照）が水平方向に広がっている。この溶接面１９Ａにて、補強部材１９が底板１０Ａ及び天板１０Ｄと溶接されている。また、補強部材１９は、天板１０Ｄを挟んでブラケット１４と対向するように取付けられている。これにより、底板１０Ａは補強され、一度に多量の土を多孔篩バケット１０に掬い込んでも壊れない。
【００３７】
次に、この多孔篩バケット１０を使用して土を掬い込み、土に含まれる根茎を土砂から分離させるいわゆる根茎根絶工法の作業について図５、図６に従って説明する。
【００３８】
図５（Ａ）に示されるように、先ず、作業者の操作指示により、ブーム３２及びアーム３６を可動させることで多孔篩バケット１０を土を掘り起こす所定の場所へと移動させる。
【００３９】
次に、図５（Ｂ）に示されるように、油圧シリンダ４０（図５（Ａ）参照）の先端ブラケット４０Ａを動かすことで、多孔篩バケット１０の開口部１２を下方に向け、底板１０Ａの手前縁１１を土砂と対向させる。
【００４０】
次に、図６（Ａ）に示されるように、油圧シリンダ４０（図５（Ａ）参照）を可動させることで、多孔篩バケット１０を取付穴１４Ａを中心に揺動させ、根茎が含まれる土をその内部に掬い込む。多孔篩バケット１０は、底板１０Ａの湾曲面に沿って土を掬い込むため、容易に多孔篩バケット１０の内部に土を掬い込むことができる。
【００４１】
次に、図６（Ｂ）に示されるように、油圧シリンダ４０（図５（Ａ）参照）をさらに可動させることで、多孔篩バケット１０の開口部１２をななめ上方に向けて停止させる。さらに、アーム３６（図５（Ａ）参照）を上下（図中矢印方向）に動かすことで、土砂を多孔篩バケット１０の内部から円孔１６Ａ，１６Ｂ、１７を通してふるい落とす。これにより、土に含まれる根茎は、多孔篩バケット１０内に残る。多孔篩バケット１０に残った根茎は、トラックに積み込み、現場から焼却処分場へ運搬する。このため、土砂は盛土等に利用でき、根茎は焼却処分する為、土捨て場を確保する必要もなくなる。このようにして、土に含まれる根茎と土砂を分離させ根茎を回収できる。
【００４２】
次に、本発明のバケットが採用されたパワーショベルの第２実施形態を図８〜図９に従って説明する。
【００４３】
なお、第１実施形態と同一部材については、同一符号を付してその説明を省略する。
【００４４】
図８に示されるように、この実施形態では第１実施形態とは違い、底板１０Ａ、側板１０Ｂ、及び背板１０Ｃに設けられる円孔は、全て直径４０ｍｍの大径孔１６Ａである。
【００４５】
また、図９（Ｂ）に示されるように、側板１０Ｂに設けられる大径孔１６Ａは、下側奥角部を中心に設けられているのではなく、上下方法中心部から下方にまんべんなく設けられている。
【００４６】
さらに、図９（Ａ）に示されるように、底板１０Ａに設けられる大径孔１６Ａの単位面積当りに設けられる個数は、中心より奥側が手前側に対して２倍になっている。
【００４７】
孔径を統一することで、型費が低減され、さらに、多孔篩バケット１０の開口部１２をななめ上方に向けて土砂を篩い落とすときに、大径孔１６Ａが下側にまんべんなく配置されているため、効率よく土砂を篩い落とすことができる。
【００４８】
また、多孔篩バケット１０からふるい落とされた土砂の土壌が悪化している場合には、土壌を作物の生育に適する状態にするために土壌改良剤を散布する必要がある。この土壌改良剤を散布する際に、多孔篩バケット１０に土壌改良剤を入れ、開口部１２を斜め上方に向け上下にふることで底板１０Ａ，側板１０Ｂ、及び背板１０Ｃに設けられた大径孔１６Ａを通して土壌改良剤を均等に効果的に散布することができる。
【図面の簡単な説明】
【００４９】
【図１】本発明の第１実施形態に係る多孔篩バケットを示した斜視図である。
【図２】（Ａ）本発明の第１実施形態に係る多孔篩バケットを示した側面図である。（Ｂ）本発明の第１実施形態に係る多孔篩バケットを示し、図１に示す２−２断面図である。
【図３】（Ａ）本発明の第１実施形態に係る多孔篩バケットを示した平面図である。（Ｂ）本発明の第１実施形態に係る多孔篩バケットを示した底面図である。
【図４】（Ａ）本発明の第１実施形態に係る多孔篩バケットを示した正面図である。（Ｂ）本発明の第１実施形態に係る多孔篩バケットを示した背面図である。
【図５】（Ａ）本発明の第１実施形態に係るパワーショベルを示し、土砂を掬い込もうとしている状態を示した状態図である。（Ｂ）本発明の第１実施形態に係る多孔篩バケットを示し、土砂を掬い込もうとしている状態を示した状態図である。
【図６】（Ａ）本発明の第１実施形態に係る多孔篩バケットを示し、土砂を掬い込んでいる状態を示した状態図である。（Ｂ）本発明の第１実施形態に係る多孔篩バケットを示し、掬い込んだ土砂をふるい落としている状態を示した状態図である。
【図７】本発明の第１実施形態に係るパワーショベルを示した斜視図である。
【図８】本発明の第２実施形態に係る多孔篩バケットを示した斜視図である。
【図９】（Ａ）本発明の第２実施形態に係る多孔篩バケットを示した底面図である。（Ｂ）本発明の第２実施形態に係る多孔篩バケットを示した側面図である。
【符号の説明】
【００５０】
１０      多孔篩バケット（バケット）
１０Ａ    底板
１０Ｂ    側板
１０Ｃ    背板
１０Ｄ    天板
１１      後端縁
１２      開口部
１６Ａ    大径孔
１６Ｂ    小径孔
１７      中径孔
１９      補強部材
２０      パワーショベル
【図１】
2007224539.tif 000003
【図２】
2007224539.tif 000004
【図３】
2007224539.tif 000005
【図４】
2007224539.tif 000006
【図５】
2007224539.tif 000007
【図６】
2007224539.tif 000008
【図７】
2007224539.tif 000009
【図８】
2007224539.tif 000010
【図９】
2007224539.tif 000011
【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
底板と、前記底板の両側から立設した側板と、前記側板の奥側と前記底板の奥側に連結された背板と、前記背板の上部と前記側板の上部に連結され、前記底板の手前側が開口する箱体を構成する天板と、を備え、パワーショベルのアームに取付けられるバケットであって、
前記底板、前記側板、及び前記背板に土砂篩用の円孔が複数形成され、前記側板に形成される円孔と前記背板に形成される円孔は中径孔であり、前記底板に形成される円孔は、前記中径孔より大径の大径孔と、前記中径孔より小径の小径孔であることを特徴とするバケット。
【請求項２】
前記底板に形成される円孔は、底板全面に大径孔と小径孔の順で平面２方向へ形成され、前記側板に形成される円孔の集まりは、前記側板の下側奥角部を頂点とした三角形を描いていることを特徴とする請求項１に記載のバケット。
【請求項３】
前記底板は外側に膨らむ湾曲板とされていることを特徴とする請求項１又は２に記載のバケット。
【請求項４】
前記側板の手前側は上部から前記底板の手前側に向かって傾斜していることを特徴とする請求項１乃至３の何れか１項に記載のバケット。
【請求項５】
前記底板の中央部と前記天板の中央部は補強部材で連結され、前記補強部材と天板との連結部位に前記アームが取付けられていることを特徴とする請求項１乃至４の何れか１項に記載のバケット。
【請求項６】
請求項１乃至５記載何れか１項に記載されたバケットが採用されたことを特徴とするパワーショベル。
【手続補正２】
【補正対象書類名】明細書
【補正対象項目名】０００５
【補正方法】変更
【補正の内容】
【０００５】
本発明の請求項１に係るバケットは、底板と、前記底板の両側から立設した側板と、前記側板の奥側と前記底板の奥側に連結された背板と、前記背板の上部と前記側板の上部に連結され、前記底板の手前側が開口する箱体を構成する天板と、を備え、パワーショベルのアームに取付けられるバケットであって、前記底板、前記側板、及び前記背板に土砂篩用の円孔が複数形成され、前記側板に形成される円孔と前記背板に形成される円孔は中径孔であり、前記底板に形成される円孔は、前記中径孔より大径の大径孔と、前記中径孔より小径の小径孔であることを特徴とする。
【手続補正３】
【補正対象書類名】明細書
【補正対象項目名】０００６
【補正方法】変更
【補正の内容】
【０００６】
上記構成によれば、アームを操作して、根茎と土砂が混在した土をバケットに掬い込む。バケットの底板、側板、背板には、土砂篩用の円孔が複数形成されており、バケットを揺することで、円孔から土砂が落ちて、根茎がバケットに残る。
ここで、バケットの側板と背板に形成された円孔は中径孔であり、底板には大径孔と小径孔が形成されている。このように、孔径の異なる円孔を設けることで、同じ孔径の円孔を設けたバケットと比較すると、土砂の種類や粒径に関わらず、効率よく土砂だけを取り除くことができる。また、円孔とすることで、細長い根茎がバケットから抜け落ちない。
また、バケットに残った根茎は、トラックに積み込み、現場から焼却処分場へ運搬する。このため、土砂は盛土等に利用でき、根茎は焼却処分する為、土捨て場を確保する必要もなくなる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の請求項２に係るバケットは、請求項１に記載において、前記底板に形成される円孔は、底板全面に大径孔と小径孔の順で平面２方向へ形成され、前記側板に形成される円孔の集まりは、前記側板の下側奥角部を頂点とした三角形を描いていることを特徴とする。
【手続補正７】
【補正対象書類名】明細書
【補正対象項目名】００１２
【補正方法】変更
【補正の内容】
【００１２】
本発明の請求項３に係るバケットは、請求項１又は２に記載において、前記底板は外側に膨らむ湾曲板とされていることを特徴とする。
【手続補正８】
【補正対象書類名】明細書
【補正対象項目名】００１４
【補正方法】変更
【補正の内容】
【００１４】
本発明の請求項４に係るバケットは、請求項１乃至３何れか１項記載において、前記側板の手前側は上部から前記底板の手前側に向かって傾斜していることを特徴とする。
【手続補正９】
【補正対象書類名】明細書
【補正対象項目名】００１６
【補正方法】変更
【補正の内容】
【００１６】
本発明の請求項５に係るバケットは、請求項１乃至４何れか１項記載において、前記底板の中央部と前記天板の中央部は補強部材で連結され、前記補強部材と天板との連結部位に前記アームが取付けられていることを特徴とする。
【手続補正１０】
【補正対象書類名】明細書
【補正対象項目名】００１８
【補正方法】変更
【補正の内容】
【００１８】
本発明の請求項６に係るパワーショベルは、請求項１乃至５何れか１項に記載されたバケットが採用されたことを特徴とする。
【手続補正１１】
【補正対象書類名】明細書
【補正対象項目名】００１９
【補正方法】変更
【補正の内容】
【００１９】
上記構成によれば、請求項１乃至５何れか１項に記載されたバケットがパワーショベルに採用されているため、土に含まれる根茎を土砂から分離させることができる。